(57)【要約】【課題】本発明の課題は、画像読取部の汚れを簡単に清掃することができる原稿搬送装置を提供することである。【解決手段】原稿４５Ａをセットする原稿トレイ部３と、原稿トレイ部にセットされた原稿を１枚ずつ給紙する給紙部４と、給紙された原稿を画像読取部６に向けて搬送し且つ通過させる搬送ローラ６０と、読取りの終了した原稿を排出する排紙部７とを備え、原稿搬送装置１は、清掃シート１０１を収納する清掃シート収納部１０を備えており、清掃シート収納部に収納された清掃シートを画像読取部に向けて搬送して画像読取部を通過させることにより、少なくとも画像読取部に付着した汚れを清掃するようにした。【選択図】  図１
2004250141.tif 000002
【特許請求の範囲】
【請求項１】
原稿をセットする原稿載置手段と、原稿載置手段にセットされた原稿を１枚ずつ給紙する給紙手段と、給紙された原稿を画像読取部に向けて搬送する搬送手段と、読み取りの終了した原稿を排出する排出手段とを備え、原稿搬送装置は、清掃シートを収納する清掃シート収納部を備えており、
清掃シート収納部に収納された清掃シートを画像読取部に向けて搬送して画像読取部を通過させることにより、少なくとも画像読取部に付着した汚れを清掃することを特徴とする原稿搬送装置。
【請求項２】
清掃シート収納部は、清掃シートをセットする清掃シート設置台と、清掃シート設置台にセットされた清掃シートを画像読取部に向けて搬送する清掃シート搬送手段と、清掃シート設置台の清掃シートの有無を検知する清掃シート検知手段とを備えており、表示手段は清掃シート設置台に清掃シートがない場合にはその旨を表示することを特徴とする請求項１記載の原稿搬送装置。
【請求項３】
搬送された原稿の枚数をカウントするカウント手段を備え、カウント手段のカウント枚数が所定の枚数に到達すると、搬送手段は原稿の搬送を停止するとともに、清掃シート搬送手段が駆動して清掃シートを画像読取部に向けて搬送することを特徴とする請求項１又は２記載の原稿搬送装置。
【請求項４】
搬送手段は、清掃シートが画像読取部を通過後、清掃シートの搬送を停止するとともに、搬送手段を逆転駆動させて清掃シートを清掃シート収納部に戻すことを特徴とする請求項１乃至３の何れかに記載の原稿搬送装置。
【請求項５】
搬送手段は、清掃シートを画像読取部の位置で往復移動させることにより、画像読取部を清掃することを特徴とする請求項１乃至４の何れかに記載の原稿搬送装置。
【請求項６】
搬送手段は、清掃シートが所定回数の清掃を終了した後に、清掃シートを排紙トレイに排紙することを特徴とする請求項１乃至５に記載の原稿搬送装置。
【発明の詳細な説明】
【０００１】
【発明の属する技術分野】
本発明は、複写機、ファクシミリ等の画像形成装置における原稿搬送装置に関し、詳細には画像読取部の清掃に関するものである。
【０００２】
【従来の技術】
従来、複写機、ファクシミリ等の画像形成装置には、原稿を画像読取部等に移動させるために原稿搬送装置が用いられる。固定した画像読取部に原稿を搬送しつつ読取動作を行うシースルータイプの原稿搬送装置では、コンタクトガラス上にゴミ等があると、印刷された原稿の副走査方向に「黒」又は「白」のすじが発生する。かかる問題を解決するため、特許文献１に記載された従来技術のように、風の流れでコンタクトガラス上のゴミ等を飛ばす方法や、清掃部材を回転させて除去する方法などが提示されているが、装置全体が複雑且つ大型になるという問題があった。
【０００３】
上記問題を解決するため、例えば特許文献１に記載された従来技術では、給紙カセットに使用者自らクリーニングカートリッジを装着し、カートリッジに収納された清掃シートを搬送させることで、搬送経路内のクリーニングを行っている。
【０００４】
一方、特許文献２に記載された従来技術では、少なくとも一方の面に起毛部を備えた清掃シートが開示されており、清掃シートを原稿載置手段にセットして、通常の原稿と同様の搬送経路を辿って画像読取部のクリーニングを行っている。
【０００５】
【特許文献１】
特開平５−１９３７７５号公報
【特許文献２】
特開平１１−２４９４９２号公報
【０００６】
【発明が解決しようとする課題】
しかし、上述した特許文献１記載の従来技術では、清掃の際には、給紙カセットにクリーニングカートリッジを装着する必要があり、かかる装着作業として例えば、▲１▼原稿用紙の出し入れ▲２▼サイドフェンス、エンドフェンスの変更、▲３▼クリーニングカートリッジの出し入れ等の手順が必要であり、操作が煩雑であるという問題点があった。またクリーニングシートを収納したクリーニングカートリッジの保管方法も問題があった。
【０００７】
また、特許文献２に記載された従来技術では、清掃作業ごとに清掃シートを原稿載置手段にセットする必要があるため、作業が煩雑である。また、清掃シートは起毛部を有しているので、ほこり等が付着し易く、保管場所が別途必要になるという問題点があった。
【０００８】
本発明は、画像読取部の汚れを簡単に清掃することができる原稿搬送装置を提供することを目的とする。
【０００９】
【課題を解決するための手段】
請求項１に記載の発明は、原稿をセットする原稿載置手段と、原稿載置手段にセットされた原稿を１枚ずつ給紙する給紙手段と、給紙された原稿を画像読取部に向けて搬送する搬送手段と、読み取りの終了した原稿を排出する排出手段とを備え、原稿搬送装置は、清掃シートを収納する清掃シート収納部を備えており、清掃シート収納部に収納された清掃シートを画像読取部に向けて搬送して画像読取部を通過させることにより、少なくとも画像読取部に付着した汚れを清掃することを特徴とする。
【００１０】
この請求項１に記載の発明では、原稿搬送装置には原稿載置手段とは別途の清掃シート収納部を設けており、清掃シート収納部に収納された清掃シートは、所定時に画像読取部に向けて搬送される。そして、清掃シートが画像読取部を通過することで、画像読取部に付着したトナーや埃等の汚れが清掃される。
【００１１】
このように、画像読取部を清掃するための清掃シートを収納する清掃シート収納部を原稿搬送装置に設けているので、従来のようにセットされた原稿を取り除いて、原稿載置手段に清掃シートをセットする必要がない。従って、画像読取部の汚れを簡単に清掃することができる。
【００１２】
また、原稿搬送装置内に清掃シートを収納する清掃シート収納部を設けているので、清掃シートを別途保管場所に収納する必要がない。
【００１３】
請求項２に記載の発明は、請求項１に記載の発明において、清掃シート収納部は、清掃シートをセットする清掃シート設置台と、清掃シート設置台にセットされた清掃シートを画像読取部に向けて搬送する清掃シート搬送手段と、清掃シート設置台の清掃シートの有無を検知する清掃シート検知手段とを備えており、表示手段は清掃シート設置台に清掃シートがない場合にはその旨を表示することを特徴とする。
【００１４】
請求項２に記載の発明は、請求項１に記載の発明と同様の作用効果を奏するとともに、清掃シート収納部には清掃シートの有無を検知する清掃シート検知手段を備えており、清掃シートを検知しない場合には、表示手段はその旨を表示するので、清掃シート収納部に清掃シートの有無を簡単に確認することができる。
【００１５】
請求項３に記載の発明は、請求項１又は２に記載の発明において、搬送された原稿の枚数をカウントするカウント手段を備え、カウント手段のカウント枚数が所定の枚数に到達すると、搬送手段は原稿の搬送を停止するとともに、清掃シート搬送手段が駆動して清掃シートを画像読取部に向けて搬送することを特徴とする。
【００１６】
請求項３に記載の発明は、請求項１又は２に記載に発明と同様の作用効果を奏するとともに、所定のカウント枚数だけ原稿の読取が終了すると、清掃シートによる画像読取部のクリーニングが行われるので、画像読取部の汚れ具合に応じたカウント枚数を設定することで、効率の良いクリーニングを行うことができる。
【００１７】
請求項４に記載の発明は、請求項１乃至３の何れかに記載の発明において、搬送手段は、清掃シートが画像読取部を通過後、清掃シートの搬送を停止するとともに、搬送手段を逆転駆動させて清掃シートを清掃シート収納部に戻すことを特徴とする。
【００１８】
この請求項４に記載の発明では、請求項１から３の何れかに記載の発明と同様の作用効果を奏するとともに、画像読取部を清掃シートが通過してクリーニングが終了した後、清掃シートは自動的に清掃シート収納部に戻るので、清掃シートを繰り返し使用することができる。
【００１９】
請求項５に記載の発明は、請求項１乃至４の何れかに記載の発明において、搬送手段は、清掃シートを画像読取部の位置で往復移動させることにより、画像読取部を清掃することを特徴とする。
【００２０】
この請求項５に記載の発明では、請求項１乃至４の何れかに記載の発明と同様の作用効果を奏するとともに、清掃シートが原稿読取部の位置で往復運動を繰り返すので、画像読取部の汚れを一層きれいに取り除くことができる。
【００２１】
請求項６に記載の発明は、請求項１乃至５の何れかに記載の発明において、搬送手段は、清掃シートが所定回数の清掃を終了した後に、清掃シートを排紙トレイに排紙することを特徴とする。
【００２２】
この請求項６に記載の発明では、請求項１乃至５の何れかに記載の発明と同様の作用効果を奏するとともに、清掃シートを所定回数使用したら、清掃シートをそのまま排紙することにより、清掃効果の落ちた清掃シートで原稿読取部をクリーニングすることがなく、常に高いクリーニング効果を維持することができる。
【００２３】
【発明の実施の形態】
以下、添付した図面を参照しながら本発明の実施の形態を詳細に説明する。
【００２４】
図１乃至図４は本発明の原稿搬送装置の動作を概略的に示す断面図であり、図１は清掃シートが清掃シート収納部に収納された状態を示す図、図２は清掃シート収納部から清掃シートが搬送される直前の状態を示す図、図３は画像読取部を清掃シートが通過する状態を示す図、図４は清掃シートが清掃シート収納部に戻るときを示す図である。図５乃至図７は本実施形態に係る清掃シートの動作を示すフローチャート、図８の制御ブロック図、図９は本発明の原稿搬送装置の駆動部を示す図、図１０は本発明の原稿搬送装置の全体を概略的に示す断面図である。
【００２５】
原稿搬送装置１は、原稿束４５をセットする原稿トレイ部（原稿載置手段）３と、セットされた原稿束４５から一枚毎に原稿４５Ａを分離して給紙する給紙部（給紙手段）４と、給紙された原稿４５Ａを突き当て整合し、且つ整合後の原稿４５Ａを引き出し搬送するレジスト部５と、原稿４５Ａの表面画像の読み取りを行わせる画像読取部６と、読取終了後の原稿４５Ａを排紙するための排紙部７等から構成されている。
【００２６】
原稿トレイ部３は、原稿束４５をセットする原稿テーブル３１を備えており、セットした原稿束４５の幅方向はサイドガイドで両側から規制している。原稿４５Ａのセットは、原稿セットフィラー及び原稿セットセンサにより検知され、検知信号は制御部１００に送信される。原稿テーブル３１のテーブル面には、原稿の搬送方向の長さを検知する原稿長さ検知センサが設けられている。
【００２７】
給紙部４は、原稿テーブル３１の原稿を給紙するピックアップローラ４１と、ベルトプーリに所定の張力をもって掛け渡された給紙ベルト４２と、給紙ベルト４２に対向する位置に設けられた分離ローラ４３とが配置されており、給紙ベルト４２は、分離ローラ４３の周面に巻きかけられるように圧接している。また、ピックアップローラ４１は、図示しない駆動部により、図中破線で示す退避位置から実線で示す呼び出し位置まで移動し、所定の圧力で原稿束４５を圧接するようになっている。
【００２８】
レジスト部５は、給紙部４からの原稿４５Ａの先端を検知する突き当てセンサと、レジストローラ対と、レジストローラ対により画像読取部６に向けて搬送される原稿４５Ａのサイズを検知するサイズセンサ群とが配置されている。
【００２９】
画像読取部６は、読取搬送ローラ６０と、コンタクトガラス６２と、コンタクトガラス６２の上面に所定の間隔をもって配置された白色背景板６１等から構成されており、コンタクトガラス６２を通過した原稿表面の画像は、原稿搬送装置１の下方にある画像読取装置２によって読み取られ、画像読取装置２のＣＣＤ（電荷結合素子）を介して電気的に変換され、記憶装置に記憶されるようになっている。
【００３０】
排紙部７は、排紙検知手段（カウント手段）７２と、排紙ローラ７１とを備えており、画像読取部６からの原稿４５Ａを排紙トレイに排紙し、読取終了後の原稿４５Ａを積載保持している。
【００３１】
圧板部９は、圧板９１と移動式スキャナ用のコンタクトガラス９２等から構成されており、本や１枚だけの原稿の場合には、原稿搬送装置１を回動して持ち上げ、コンタクトガラス９２の上に原稿をセットして、移動式スキャナで読み取っている。
【００３２】
清掃シート収納部１０は、清掃シート１０１、清掃シート設置台１０２、設置台カバー１０２Ａ、清掃シート給送コロ１０３、切換爪１０４、清掃シート検知部１０５等から構成されており、清掃シート収納部１０に収納された清掃シート１０１を画像読取部６に向けて搬送可能である。また、清掃シート１０１は設置台カバー１０２Ａを開けて、上部から清掃シート設置台１０２に設置可能である。
【００３３】
清掃シート１０１は、たとえばＡ４サイズの布あるいは合成皮革等で構成された基材の一方の面に粘着材を塗布したものである。
【００３４】
次に、原稿テーブル３１にセットされた原稿４５Ａを処理するときの原稿搬送装置１の動作について説明する。原稿束４５の先端を原稿ストッパ３２に突き当てた状態でセットし、更に原稿束４５の幅方向をサイドガイドにより規制することにより、原稿テーブル３１上の原稿束４５の位置決めを行う。原稿テーブル３１に原稿４５Ａをセットした後、原稿ストッパ駆動装置３２Ｂにより原稿ストッパ３２が実線位置（原稿ストッパ３２Ａ）まで退避して、原稿４５Ａの先端が開放されると、ピックアップ移動手段４１Ａによりピックアップローラ４１が点線位置から実線位置まで移動して、原稿束４５を所定の圧力で圧接する。
【００３５】
ピックアップローラ４１が原稿束４５を圧接した後、所定の時間を経て、給紙系駆動手段４６により、ピックアップローラ４１を時計方向に回転させて原稿束４５の最上面の原稿を給紙ベルト４２及び分離ローラ４３等の方向に向けて搬送する。このとき、給紙ベルト４２は、給紙系駆動手段４６の正転により給紙方向と逆方向に回転駆動され、原稿束４５のうち最上部の原稿４５Ａと、それ以外の原稿とを分離して最上部の原稿４５Ａのみを給紙する構成となっている。分離ローラ４３は給紙ベルト４２に所定圧で接触している。そして給紙ベルト４２と直接接しているとき、又は原稿１枚分を介して接触している状態では、分離ローラ４３は給紙ベルト４２の回転に連れ回りして時計方向に回転して、余分な原稿を押し戻すように働き、重送を防止している。
【００３６】
給紙ベルト４２と分離ローラ４３との作用により１枚に分離された原稿は、給紙ベルト４２によって更に送られ、レジスト部５へ進み、レジストローラに原稿の先端が所定量の撓みをもって押し当てられた状態で給紙ベルト４２の駆動が停止する。原稿４５Ａの先端はレジストローラのニップ部に進入し、先端の整合（スキュー補正）が行われる。
【００３７】
レジスト部５を通過した原稿４５Ａは、読取搬送ローラ６０に巻かれた状態で搬送されて画像読取部６に送り込まれる。この画像読取部６では、コンタクトガラス６２及びその上面に所定の間隔をもって配置された白色背景板６１の間を原稿が通過する間に、画像読取装置２により原稿が読み取られ、ＣＣＤを介して電気的に変換され、記憶装置に記憶される。その後、原稿４５Ａは排紙ローラ７１により排紙スタック部に排紙している。
【００３８】
次に、図５乃至図７のフローチャートを用いて、本実施の形態に係る清掃シート１０１の清掃動作について説明する。図１に示すように、清掃シート１０１は事前にユーザによって清掃シート設置台１０２にセットされており、清掃シート検知手段１０５によって、清掃シート１０１の有無を検知している（ステップＳ１）。そして、検知手段１０５により清掃シート１０１を検知しない場合は、表示手段５０により「清掃シートなし」の表示がなされる。また、表示手段５０では、清掃シート１０１の通紙回数の表示も同時に行っている（ステップＳ１、Ｓ２：αは清掃シートの通紙回数を示す）。次に、給紙部４及びレジスト部５の駆動が開始され、原稿トレイ部３に収納されている原稿４５Ａが画像読取部６２に向けて搬送される。画像の読み取りが終了した原稿４５Ａは、排紙検知手段７２によってカウントされる（ステップＳ５〜Ｓ７）。排紙検知手段７２がＯＦＦになると（ステップＳ８）、排紙検知手段７２を通過した原稿４５Ａのカウント数と、予め設定されている清掃シート１０１の通紙間隔（Ｘ）とが比較され、設定されている通紙間隔（Ｘ）より１枚少ない値の場合（ステップＳ９）には、給紙部４及びレジスト部５の駆動動作が停止する（ステップＳ１０）。尚、給紙部４等の駆動動作が停止した後、残紙が完全に排紙され、排紙検知手段７２が原稿を所定の時間検知しない場合には、図２に示すように清掃シート１０１の搬送動作に移る（ステップＳ１１、Ｓ１２）。
【００３９】
次に、清掃シート１０１の搬送動作について説明する。図２に示すように、清掃シート１０１が搬送される場合は、切替爪切替手段１０４ＡのＯＮにより切替爪１０４が下方に向けて回動する（ステップＳ１３）。次いで、清掃シート給送コロ駆動手段１０３ＡのＯＮにより清掃シート給送コロ１０３が反時計回りに回転駆動し（ステップＳ１４）、清掃シート１０１は画像読取部６に向けて搬送される（ステップＳ１５）。画像読取部６に搬送された清掃シート１０１は、コンタクトガラス６２上を通過することにより、清掃シート１０１の粘着材によってコンタクトガラス６２及び白色背景板６１の表面に付着した汚れが取り除かれる。
【００４０】
画像読取部６を通過した清掃シート１０１は、図３に示すように排紙部７の方向に搬送され、シートの先端を排紙検知手段７２がＯＮになり（ステップＳ１６）、清掃シート１０１の通紙枚数がカウントされる（ステップＳ１７）。排紙検知手段７２がＯＮになり、所定の時間経過後に読取搬送ローラ駆動手段６０Ａの制御により読取搬送ローラ６０が停止する。
【００４１】
次に、図４に示すように、読取搬送ローラ駆動手段６０Ａの制御により読取搬送ローラ６０は逆回転し（ステップＳ１８）、一定時間だけ清掃シート１０１を戻る。そして、排紙検知手段７２が一定時間ＯＦＦを検知した後（ステップＳ１９）、読取搬送ローラ駆動手段６０Ａの制御により読取搬送ローラ６０の駆動は停止する。そして、再び読取搬送ローラ６０が正回転し、清掃シート１０１をコンタクトガラス６２及び白色背景板６１上を通過させる（ステップＳ２０）。
【００４２】
このように、清掃シート１０１を画像読取位置で往復移動させることで、コンタクトガラス６２及び白色背景板６１上に付着した汚れを確実に取り除くことができる。かかる往復運動は、予め設定された移動回数に到達するまで繰り返される（ステップＳ２１）。そして、清掃シート１０１の通紙回数が交換回数に到達しているか否か判断され（ステップＳ２２）、清掃シート１０１が、まだ交換回数に到達していない場合には、清掃シート収納部１０に向けて搬送され、清掃シート給送コロ１０３が時計回りに回転駆動し（ステップＳ２９）、清掃シート１０１を清掃シート収納部１０内に収納する。そして、清掃シート検知部１０５がＯＮになれば（ステップＳ３０）、各制御手段の制御により、読取搬送ローラ６０、清掃シート給送コロ１０３の駆動が停止し（ステップＳ３１、Ｓ３２）、切替爪１０４が上方に回動して元の位置に戻る（ステップＳ３３）。清掃シート１０１は、次の清掃に備えて清掃シート収納部１０内で待機する。
【００４３】
ステップＳ２２において、清掃シート１０１が、交換回数に到達していると判断された場合には、清掃シート１０１は排紙トレイにそのまま排紙される。すなわち、交換回数に到達している場合は、排紙検知手段７２が清掃シート１０１を検知（ステップＳ２３）した後も、読取搬送ローラ６０の駆動は停止せず、そのまま駆動を続け、清掃シート１０１は排紙ローラ７１を通過して排紙される。
【００４４】
排紙検知手段７２がＯＦＦになってから所定時間経過後に、各制御手段の制御により、読取搬送ローラ６０、清掃シート給送コロ１０３の駆動が停止し（ステップＳ２５、Ｓ２６）、切替爪１０４が上方に回動して元の位置に戻る（ステップＳ２７）。また、清掃シート１０１が排出された後は、清掃シート収納部１０内に清掃シート１０１が存在せず、この場合は清掃シート検知部１０５がＯＦＦになっている。
【００４５】
清掃シート１０１を一定の回数使用したら、清掃シート１０１をそのまま排紙することにより、清掃効果の落ちた清掃シート１０１で原稿読取部をクリーニングすることがなく、常に高いクリーニング効果を維持することができる。また、一定回数の使用により自動的に排紙されるので、清掃シート１０１の清掃効果が落ちたか否かの確認をする必要がない。
【００４６】
なお、本発明は上述した実施の形態に限定されず、その要旨を逸脱しない範囲で種々の変形が可能である。上述の実施形態では清掃シート１０１は清掃シート収納部１０内に１枚のみを収納した場合を想定したが、これに限定されず、２枚以上収納できるようにしても良い。また、清掃シート１０１は清掃効果があれば、上述したシートに限定されず、基材に粘着材を塗布したものの他、基材の表面に植毛を施したものでも良い。また、サイズは、Ａ４の他にＡ３やＢ４サイズ、その他どのようなサイズであっても良い。
【００４７】
【発明の効果】
請求項１に記載の発明では、画像読取部を清掃するための清掃シートを収納する清掃シート収納部を原稿搬送装置に設けているので、従来のように原稿載置手段に清掃シートをセットする必要がなく、画像読取部の汚れを簡単に清掃することができる。
【００４８】
また、原稿搬送装置内に清掃シートを収納する清掃シート収納部を設けているので、清掃シートを別途保管場所に収納する必要がない。
【００４９】
請求項２に記載の発明では、請求項１に記載の発明と同様の効果を奏するとともに、清掃シートを検知しない場合には、表示手段はその旨を表示するので、清掃シート収納部内の清掃シートの有無を簡単に確認することができる。
【００５０】
請求項３に記載の発明では、請求項１又は２に記載に発明と同様の効果を奏するとともに、所定のカウント枚数だけ原稿の読取が終了すると、清掃シートによる画像読取部のクリーニングが行われるので、画像読取部の汚れ具合に応じたカウント枚数を設定することで、効率の良いクリーニングを行うことができる。
【００５１】
請求項４に記載の発明では、請求項１乃至３の何れかに記載の発明と同様の効果を奏するとともに、画像読取部を清掃シートが通過してクリーニングが終了した後、清掃シートは自動的に清掃シート収納部に戻るので、清掃シートを繰り返し使用することができる。
【００５２】
請求項５に記載の発明では、請求項１乃至４の何れかに記載の発明と同様の効果を奏するとともに、清掃シートが原稿読取部の位置で往復運動を繰り返すので、画像読取部の汚れを一層きれいに取り除くことができる。
【００５３】
請求項６に記載の発明では、請求項１乃至５の何れかに記載の発明と同様の効果を奏するとともに、清掃シートを一定の回数使用したら、清掃シートをそのまま排紙することにより、清掃効果の落ちた清掃シートで原稿読取部をクリーニングすることがなく、常に高いクリーニング効果を維持することができる。
【図面の簡単な説明】
【図１】図１０に係る原稿搬送装置の部分断面図であり、清掃シート収納部内に清掃シートが収納された状態を示している。
【図２】図１０に係る原稿搬送装置の部分断面図であり、清掃シート収納部から清掃シートが搬送される直前の状態を示している。
【図３】図１０に係る原稿搬送装置の部分断面図であり、画像読取部を清掃シートが通過する状態を示している。
【図４】図１０に係る原稿搬送装置の部分断面図であり、清掃シートが清掃シート収納部に戻る状態を示している。
【図５】本実施形態に係る清掃シートの動作を示すフローチャートであり、清掃シートが清掃シート収納部から搬送される直前までの動作を示している。
【図６】本実施形態に係る清掃シートの動作を示すフローチャートであり、清掃シートが画像読取部を移動している動作を示している。
【図７】本実施形態に係る清掃シートの動作を示すフローチャートであり、清掃シートが清掃シート収納部に戻される動作又は排出される動作を示している。
【図８】本発明の原稿搬送装置の制御ブロック図である。
【図９】本発明の原稿搬送装置の駆動部を示す断面図である。
【図１０】本発明の原稿搬送装置の全体を概略的に示す断面図である。
【符号の説明】
１              原稿搬送装置
３              原稿トレイ部（原稿載置手段）
４              給紙部（給紙手段）
６              画像読取部
７              排紙部（排出手段）
１０            清掃シート収納部
４５Ａ          原稿
５０            表示手段
６０            読取搬送ローラ（搬送手段）
７２            排紙検知手段（カウント手段）
１０１          清掃シート
１０２          清掃シート設置台
１０３          清掃シート給紙コロ（清掃シート搬送手段）
１０５          清掃シート検知手段
【図１】
2004250141.tif 000003
【図２】
2004250141.tif 000004
【図３】
2004250141.tif 000005
【図４】
2004250141.tif 000006
【図５】
2004250141.tif 000007
【図６】
2004250141.tif 000008
【図７】
2004250141.tif 000009
【図８】
2004250141.tif 000010
【図９】
2004250141.tif 000011
【図１０】
2004250141.tif 000012